(57)【要約】【課題】  不正具を侵入させ、賞球を不正に取得する不正行為を確実に防止する。【解決手段】  本発明に係る弾球遊技機は、係合部４７の溝がガラス扉１６の周壁４６に係合する範囲においてガラス扉１６と球皿３１との合わせ部に生じる隙間が閉塞されており、該隙間が係合部４７により閉塞されていない部分であってガラス扉１６と球皿３１の間に設けられたヒンジ部１７ａ，１７ｂ，１７ｃの直上のガラス扉１６の下側角部の背面側に不正具侵入防止部材２３が設けられ、不正具侵入防止部材２３は、ガラス扉１６に対して平行に形成される平板部５５と、平板部５５の下端部及び外側部から後方に延出して形成されガラス扉１６の下側角部２２に生じる前記隙間を閉塞し、該隙間を通る不正具の侵入を防止する後方延出部５６とを備えることを特徴とする。【選択図】  図４
2010227611.tif 000002
【特許請求の範囲】
【請求項１】
前枠の上部領域に収容された遊技盤の前面を覆うようにヒンジ部を介して横向き開閉可能に設けられたガラス扉と、該ガラス扉の下方においてヒンジ部を介して横向き開閉可能に設けられた球皿とを備えた弾球遊技機であって、
前記球皿の背面側上面には、前面側が開放されたコの字状断面の溝を有する係合部が前記ヒンジ部側端部を除いて形成され、前記係合部の溝は前記ガラス扉の下側の周壁に係合し、前記係合部の溝が前記ガラス扉の前記周壁に係合する範囲において前記ガラス扉と前記球皿との合わせ部に生じる隙間が閉塞されており、該隙間が前記係合部により閉塞されていない部分であって前記ガラス扉と前記球皿の間に設けられた前記ヒンジ部の直上の前記ガラス扉の下側角部の背面側に不正具侵入防止部材が設けられ、
該不正具侵入防止部材は、前記ガラス扉に対して平行に形成される平板部と、前記平板部の下端部及び外側部から後方に延出して形成され前記ガラス扉の下側角部に生じる前記隙間を閉塞し、該隙間を通る不正具の侵入を防止する後方延出部とを備えることを特徴とする弾球遊技機。
【発明の詳細な説明】
【技術分野】
【０００１】
本発明は、前面側から遊技機内部に針金等の不正具を侵入させ、賞球装置等を不正に作動させる不正行為を防止するための不正具侵入防止部材を備えた弾球遊技機に関するものである。
【背景技術】
【０００２】
従来、パチンコ遊技機に代表ざれる弾球遊技機には、方形枠状の外枠に遊技機の機体となる前枠が取り付けられている。そして、前枠の上部領域には、始動入賞口、大入賞口等の入賞装置等が配設された遊技盤が収容されていると共に、この遊技盤の前面を覆うようにガラス扉がヒンジ部を介して横向き開閉可能に取り付けられている。また、前枠の下部領域には、打球発射装置等が配設された遊技補助盤が収容されていると共に、この遊技補助盤の前面を覆うように球皿がヒンジ部を介して横向き開閉可能に取り付けられている。
【０００３】
このような弾球遊技機において、遊技球が始動入賞口に入賞すると、図柄表示装置において所要の図柄変動表示がなされ、その図柄の停止態様に応じて遊技者に有利な遊技状態が付与されるようになっている（例えば、特許文献１参照）。
【先行技術文献】
【特許文献】
【０００４】
【特許文献１】特開２００４−１６７１５３号公報
【発明の概要】
【発明が解決しようとする課題】
【０００５】
しかしながら、上記した従来の弾球遊技機においては、前枠とガラス扉及び球皿との間、或いは、ガラス扉や球皿のヒンジ部周辺には、構造上、僅かな隙間が生じるため、その隙間から遊技機内部に針金やピアノ線等の不正具を侵入させることにより、入賞装置を開放させたり、或いは、遊技盤の背面側に装着された賞球装置等を操作したりして、賞球を不正に取得する不正行為が行われ易いといった問題があった。
【０００６】
本発明は、上記した課題を解決すべくなされたものであり、前面側から遊技機内部に針金等の不正具を侵入させ、賞球を不正に取得する不正行為を確実に防止することのできる弾球遊技機を提供しようとするものである。
【課題を解決するための手段】
【０００７】
本発明は、前枠２の上部領域に収容された遊技盤５の前面を覆うようにヒンジ部１７ａ，１７ｂを介して横向き開閉可能に設けられたガラス扉１６と、ガラス扉１６の下方においてヒンジ部１７ｂ，１７ｃを介して横向き開閉可能に設けられた球皿３１とを備えた弾球遊技機であって、球皿３１の背面側上面には、前面側が開放されたコの字状断面の溝を有する係合部４７がヒンジ部側端部を除いて形成され、係合部４７の溝はガラス扉１６の下側の周壁４６に係合し、係合部４７の溝がガラス扉１６の周壁４６に係合する範囲においてガラス扉１６と球皿３１との合わせ部に生じる隙間が閉塞されており、該隙間が係合部４７により閉塞されていない部分であってガラス扉１６と球皿３１の間に設けられたヒンジ部１７ａ，１７ｂ，１７ｃの直上のガラス扉１６の下側角部の背面側に不正具侵入防止部材２３が設けられ、不正具侵入防止部材２３は、ガラス扉１６に対して平行に形成される平板部５５と、平板部５５の下端部及び外側部から後方に延出して形成されガラス扉１６の下側角部２２に生じる前記隙間を閉塞し、該隙間を通る不正具の侵入を防止する後方延出部５６とを備えることを特徴とする。
【発明の効果】
【０００８】
本発明によれば、ガラス扉と球皿の間のヒンジ部の上方に位置するガラス扉の下側角部に生じる隙間を、不正具侵入防止部材によって閉塞することができるため、その隙間を通って遊技機内部に針金やピアノ線等の不正具を侵入させる経路を確実に遮断することができる。したがって、このような隙間から不正具を侵入させることにより賞球を不正に取得する不正行為を未然に防ぐことができる。
【図面の簡単な説明】
【０００９】
【図１】本発明の実施の形態に係るパチンコ遊技機を示す正面図である。
【図２】本発明の実施の形態に係るパチンコ遊技機を示す背面図である。
【図３】本発明の実施の形態に係るパチンコ遊技機におけるガラス扉の下部及び球皿を示す背面図である。
【図４】本発明の実施の形態に係るパチンコ遊技機においてガラス扉に装着される不正具侵入防止部材を示す背面図である。
【図５】本発明の実施の形態に係るパチンコ遊技機においてガラス扉に装着される不正具侵入防止部材を示す平面図である。
【図６】本発明の実施の形態に係るパチンコ遊技機において遊技補助盤に装着される不正具侵入防止部材を示す正面図である。
【図７】本発明の実施の形態に係るパチンコ遊技機において遊技補助盤に装着される不正具侵入防止部材を示す平面図である。
【発明を実施するための形態】
【００１０】
以下、図面を参照しつつ、本発明の実施の形態について説明する。なお、以下の説明では、本発明をパチンコ遊技機に適用した場合について例示して説明する。
【００１１】
先ず、図１〜図３を参照しつつ、本実施の形態に係るパチンコ遊技機の概略構成について説明する。ここで、図１は本実施の形態に係るパチンコ遊技機を示す正面図、図２はその背面図、図３はそのガラス扉の下側部分及び球皿を示す背面図である。
【００１２】
パチンコ遊技機は、外郭方形枠サイズに形成されて縦向きの固定保持枠を成す外枠１の開口前面に、外枠１に合わせて方形枠サイズに形成された開閉搭載用の前枠２が、外枠１の正面左側上下に取り付けられたヒンジ金具３ａ，３ｂによって外枠２に対して開閉可能に取り付けられていると共に、外枠１の正面右側に設けられた施錠装置４により閉鎖状態に保持されるようになっている。
【００１３】
前枠２の上部領域には、遊技盤５が収容されており、遊技盤５は、所定板厚の積層合板の表面にセルを貼り付けてルーター加工した化粧版を基板とし、その前面側には、環状に取り付けられたガイドレール６に囲まれて、略円形状の遊技領域７が形成されている。遊技領域７には、その略中央部に画像表示装置の表示部８が配置されており、画像表示装置の表示部８の周りには、センター飾り９、始動入賞口１０や大入賞口１１等の入賞装置等がそれぞれ配設されている。そして、始動入賞口１０には入賞検出スイッチ１２が取付けられており、この入賞検出スイッチ１２により始動入賞口１０への遊技球の入賞を検出可能となっている。また、大入賞口１１は特定領域（Ｖゾーン）と一般領域とに区画形成され、その特定領域には特定領域通過検出スイッチ１３が取付けられており、この特定領域通過検出スイッチ１３により前記特定領域への遊技球の入賞を検出可能となっている。さらに、遊技領域７の下端部には、アウト口１４が配設されており、始動入賞口１０や大入賞口１１等の入賞装置に入賞せずに落下したアウト球を遊技盤５の背面側から機外に排出できるようになっている。
【００１４】
前枠２の前面上部側には、遊技盤５を視認可能なように透明ガラス板１５を備えたガラス扉１６が前枠２の正面左側上下に取り付けられたヒンジ部１７ａ，１７ｂを介して横向き開閉可能且つ着脱可能に取り付けられ、常には施錠装置４により遊技盤５の前面を覆うように閉鎖状態に保持されている。また、ガラス扉１６の背面側には、その周壁４６に沿ってそれぞれ細長の枠金具１８，１９，２０（上部枠金具は図示せず）が上下左右に取り付けられており、これら上下左右の枠金具１８，１９，２０はガラス扉１６の各角部２１，２２（下側の角部のみ図示）においてそれぞれ重合し、連結されている。そして、ガラス扉１６の背面側には、下部ヒンジ部１７ｂの直上の下側角部２２に第１の不正具侵入防止部材２３が取り付けられている。なお、この第１の不正具侵入防止部材２３の構成の詳細については後述する。
【００１５】
また、前枠２の下部領域には、遊技補助盤２４が形成されており、この遊技補助盤２４の各部には、遊技領域７内に遊技球を発射させる打球発射装置２５、後述する球皿３１の球貯留部３２に貯留し切れない遊技球を一時的に貯留する貯留ケース２６、貯留ケース２６の出口に設けられた枠側シャッタ２７、遊技状態に応じて効果音を発生させる音響装置２８等がそれぞれ配設されている。打球発射装置２５は球皿３１のヒンジ部１７ｂ、１７ｃ側に配設されており、その上部には、前面側が開放されて溝状を成す発射レール部２９が正面左側斜め上方に向かって形成されている。また、発射レール部２９の上方には球皿３１のヒンジ部１７ｂに隣接してファール球回収部材３０が設けられており、このファール球回収部材３０は前枠２に対して着脱自在に取り付けられている。なお、このファール球回収部材３０は第２の不正具侵入防止部材としても機能するようになっており、その構成の詳細については後述する。
【００１６】
前枠２の前面下部側であって、ガラス扉１６の下方には、球皿３１が前枠２の正面左側上下に取り付けられたヒンジ部１７ｂ，１７ｃを介して横向き開閉可能且つ着脱可能に取り付けられ、常には施錠装置（図示せず）により遊技補助盤２４の前面を覆うように閉鎖状態に保持されている。球皿３１は前面側に膨出して形成され、球皿３１には、遊技中に払い出される遊技球を貯留する球貯留部３２が設けられている。また、球皿３１には、その正面右側下部に発射ハンドル３３が前方に突出して取り付けられており、発射ハンドル３３を回転操作することにより、球貯留部３２から供給された遊技球が遊技領域７に発射されるようになっている。
【００１７】
球皿３１の背面側には、上記した遊技補助盤２４の各構成に対応して以下の構成がそれぞれ配設されている。すなわち、打球発射装置２５に対応して球送り装置３４、貯留ケース２６に対応して貯留ケース視認窓３５、枠側シャッタ２７に対応して皿側シャッタ３６、音響装置２８に対応して音室３７等がそれぞれ配設されている。また、球皿３１の背面側には、発射レール部２９に対応した位置にガイドリブ４８が斜め上方に延出しており、ガイドリブ４８は後方に突出して形成されている。さらに、球皿３１の上面には、前面側が開放されて溝状を成す係合部４７が、左右両端部を除いて、その上面に沿って形成されている。係合部４７はガラス扉１６の下側の周壁４６に係合可能に形成されており、この係合部４７がガラス扉１６の周壁４６に係合する範囲において、ガラス扉１６と球皿３１の合わせ部に生じる隙間が閉塞されるようになっている。さらに、この係合部４７の背面側には、左右に渡って段差部４９が形成されており、係合部４７の背面の下側部分５０はその上側部分５１より後方に突出して形成されている。
【００１８】
前枠２の背面側には裏セット盤３８が複数のレバー３９により着脱可能に設けられており、その裏セット盤３８には、予備賞球を貯留する球貯留タンク４０、遊技球を整列状態で待機させる待機通路４１、遊技盤５での入賞状態等に基づき賞球を払い出す球払出装置４２、球払出装置４２から払い出された賞球を球皿３１に排出するための球払出通路４３等の賞球装置が装備されていると共に、電源基板４４や遊技制御基板４５等の各種回路基板及び電子部品等が取付けられている。
【００１９】
次に、主に図４〜図７を参照しつつ、本発明の実施の形態に係るパチンコ遊技機の不正具侵入防止部材について詳細に説明する。ここで、図４は本発明の実施の形態に係るパチンコ遊技機においてガラス扉に装着される第１の不正具侵入防止部材を示す背面図、図５はその第１の不正具侵入防止部材を示す平面図、図６は遊技補助盤に装着される第２の不正具侵入防止部材を示す正面図、図７はその第２の不正具侵入防止部材を示す平面図である。
【００２０】
先ず、主に図４及び図５を参照して、第１の不正具侵入防止部材２３について説明する。
【００２１】
第１の不正具侵入防止部材２３は、ガラス扉１６の背面に沿うように形成される平板部５５と、平板部５５の外側部及び下端部から後方に延出する後方延出部５６とから構成されている。平板部５５はその取付位置である下側角部２２の形状に整合した形状を成しており、その下側角部２２における下側枠金具１８と背面視で右側の枠金具２０との連結固定位置に対応して２個の取付孔５７が穿設されている。また、後方延出部５６は、下側枠金具１８の右端部及び右側枠金具２０の下端部の各内面に沿って屈曲した形状を成しており、ガラス扉１６の周壁４６の背面に沿うよう形成されている。そして、ガラス扉１６の背面側の下側角部２２に第１の不正具侵入防止部材２３を装着することにより、下側角部２２に生じる隙間を閉塞可能となっている。
【００２２】
すなわち、ガラス扉１６の下側角部２２に生じる隙間を介して遊技機内部に針金やピアノ線等の不正具を侵入させる不正具侵入経路は、この第１の不正具侵入防止部材２３によって確実に遮断することができる。したがって、この隙間から不正具を侵入させることにより、入賞検出スイッチ１２を作動させて始動入賞口１０を開放させたり、或いは、特定領域通過検出スイッチ１３を作動させて大入賞口１１を開放させたりして、賞球を不正に取得する不正行為を未然に防ぐことができる。
【００２３】
次に、上記したように第２の不正具侵入防止部材としても機能するファール球回収部材３０について、主に図６及び図７を参照しながら説明する。
【００２４】
ファール球回収部材３０は、打球発射装置２５の発射レール部２９の上部に接続され、この発射レール部２９と共に打球発射装置２５から発射された遊技球を遊技領域７に導く発射レール部６１と、発射レール部６１の正面視で左右両側にそれぞれ形成された第１ファール球回収口６２及び第２ファール球回収口６３とを備えている。発射レール部６１は前面側が開口されて溝状を成し、正面左側斜め上方に向かって延びており、後面６４の上端部には前枠２側に形成された係止凸部６５に係止可能な係止凹部６６が形成されている。また、発射レール部６１の第１ファール球回収口６２側（すなわち、ヒンジ部１７ｂ側）の側壁６７の前端面には、前方に突出する第１前方突出部６８が形成され、第１前方突出部６８は対向する係合部４７背面の下側部分５０に当接可能となっている。そして、発射レール部６１の下方には、打球発射装置２５の発射レール部２９が嵌合可能な嵌合部６９が形成されている。さらに、第１ファール球回収口６２の下方には、取付孔７３が穿設されており、ファール球回収部材３０は取付孔７３にネジ等の固定具を挿入することにより前枠２に固定されるようになっている。
【００２５】
第１ファール球回収口６２及び第２ファール球回収口６３は、それぞれ後方に下傾し、各上部７０，７１が前方に突出するように形成されており、第１ファール球回収口６２の上部７０の前端面には、第２前方突出部７２がさらに前方に突出して形成されている。そして、第１ファール回収口６２の上部７０の前端面は、対向する係合部４７の段差部４９に整合するように段状を成しており、第２前方突出部７２は係合部４７背面の上側部分５１に当接可能となっている。
【００２６】
このように、第１前方突出部６８が対向する係合部４７背面の下側部分５０に当接し、第２前方突出部７２が対向する係合部４７背面の上側部分５１に当接するようになっているため、ヒンジ部１７ｂ周辺のガラス扉１６と球皿３１との間に生じる隙間から、球皿３１の係合部４７の段差部４９の上部を経由して、遊技機内部に針金やピアノ線等の不正具を侵入させる不正具侵入経路は、この第２の不正具侵入防止部材によって確実に遮断することができる。したがって、この隙間から不正具を侵入させることにより、入賞検出スイッチ１２を作動させて始動入賞口１０を開放させたり、或いは、特定領域通過検出スイッチ１３を作動させて大入賞口１１を開放させたりして、賞球を不正に取得する不正行為を未然に防ぐことができる。
【００２７】
なお、第１の不正具侵入防止部材２３及び第２の不正具侵入防止部材（ファール球回収部材３０）の形状は、上記実施の形態において説明した形状に限定されるものではなく、各種変更が可能である。
【００２８】
また、上記実施の形態においては、本発明をパチンコ遊技機に適用した場合について説明したが、これは単なる例示に過ぎず、本発明は、パチンコ遊技機以外の弾球遊技機にも適用可能であることは言う迄もない。
【符号の説明】
【００２９】
２          前枠
５          遊技盤
１６        ガラス扉
１７ａ      ヒンジ部
１７ｂ      ヒンジ部
１７ｃ      ヒンジ部
２２        下側角部
２３        不正具侵入防止部材
３１        球皿
４６        周壁
４７        係合部
５５        平板部
５６        後方延出部
【図１】
2010227611.tif 000003
【図２】
2010227611.tif 000004
【図３】
2010227611.tif 000005
【図４】
2010227611.tif 000006
【図５】
2010227611.tif 000007
【図６】
2010227611.tif 000008
【図７】
2010227611.tif 000009